(57)【要約】【課題】本発明は、他の送信機から電波が放射され、所望電波を測定する場合に妨害となる外来不要電波が出ているという環境のもとに、レーダーシステムのアンテナから放射された電波を受信して、不要輻射を含めた広範囲な周波数帯域のスペクトラムを計測する。【解決手段】本発明の計測側のアンテナは、スイッチ手段によって、外来不要波を除去し、前記レーダーシステムから放射された不要輻射レーダー電波を受信する。並列に設けられた周波数変換手段は、前記アンテナにより受信した所定帯域の電波を異なる複数の周波数帯域にダウンコンバートする。Ａ／Ｄ変換手段は、それぞれの周波数帯域をカバーする複数の周波数変換手段によってデジタル信号に変換する。前記デジタル信号は、複数のＤＳＰによって所定帯域内のデジタル信号を各周波数毎の振幅にトリガー信号に同期して変換される。前記周波数毎の振幅の強さは、全帯域ＤＳＰ等の合成手段によって合成され、計測時間を大幅に短縮することができる。【選択図】図１
2007309863.tif 000002
【特許請求の範囲】
【請求項１】
他の送信機から電波が放射され、所望の電波を測定する場合に妨害となる外来不要波が出ているという環境のもとに、レーダーシステムのアンテナから放射された所望の電波を受信して、不要輻射を含めた広範囲な周波数帯域のスペクトラムを計測するレーダースペクトラム計測装置において、
前記レーダーシステムのアンテナから放射された電波および外来不要波を受信する受信端子と、
前記受信端子から受信した電波の中から外来不要波と所望の電波とを分けることができるスイッチ手段と、
前記スイッチ手段を通過した電波を異なる周波数帯域に変換する複数の周波数変換手段と、
前記周波数変換手段の一つから前記不要輻射レーダー電波の中の一つ周波数を検出し、前記周波数をトリガー信号にするトリガー信号作成手段と、
前記複数の周波数変換手段によって変換された異なる周波数帯域のアナログ信号をデジタル信号に変換する複数のＡ／Ｄ変換手段と、
前記複数のＡ／Ｄ変換手段によって変換されたそれぞれのデジタル信号を周波数毎の振幅に変換するとともに、前記トリガー信号作成手段によって作成されたトリガー信号によって同期が取られている複数のＤＳＰと、
前記複数のＤＳＰによって周波数毎の振幅に変換された結果を全周波数帯域に合成する合成手段と、
前記合成手段によって合成されたレーダースペクトラムを記憶するレーダースペクトラム記憶手段と、
から少なくとも構成されていることを特徴とするレーダースペクトラム計測装置。
【請求項２】
前記スイッチ手段は、過去に到着した外来不要波および所望電波のタイミングから、引き続き到着する外来不要波および所望電波の時期を予測し、前記予測に基づいて制御するスイッチ制御手段によって開閉されることを特徴とする請求項１に記載されたレーダースペクトラム計測装置。
【請求項３】
前記スイッチ手段は、外来不要波を遅延させ、前記遅延された外来不要波に同期した信号によって制御するスイッチ制御手段によって開閉されることを特徴とする請求項１に記載されたレーダースペクトラム計測装置。
【請求項４】
前記受信端子は、前記所望電波および外来不要波を分岐して取得する受信アンテナからなることを特徴とする請求項１から請求項３のいずれか１項に記載されたレーダースペクトラム計測装置。
【請求項５】
前記受信端子は、前記所望電波および外来不要波をそれぞれ独立して取得する受信アンテナからなることを特徴とする請求項１から請求項３のいずれか１項に記載されたレーダースペクトラム計測装置。
【請求項６】
前記スイッチ手段は、前記スイッチ制御手段によって予め決められた関数にしたがって制御される導通特性を備えていることを特徴とする請求項１から請求項５のいずれか１項に記載されたレーダースペクトラム計測装置。
【請求項７】
並列に接続されている前記周波数変換手段、Ａ／Ｄ変換手段、ＤＳＰは、リアルタイムスペクトラムアナライザであることを特徴とする請求項１から請求項６のいずれか１項に記載されたレーダースペクトラム計測装置。
【発明の詳細な説明】
【技術分野】
【０００１】
本発明は、他の送信機から外来不要波が出ているという環境の基で、レーダーシステムのアンテナから放射された電波を受信して、不要輻射を含めた広範囲な周波数帯域のスペクトラムを計測するレーダースペクトラム計測装置に関するものである。
【背景技術】
【０００２】
従来、レーダーから放射される電波は、広範囲の周波数帯域にわたって、その放射レベルを測定し、不要輻射を含め、どのような周波数およびその強さがどのように分布しているかを解析するためのスペクトラムアナライザを組み合わせた計測システムが知られている。また、国際電気通信連合であるＩＴＵは、前記レーダーから放射される不要輻射の規制値と、不要輻射を含めたレーダースペクトラムの測定方法について、周波数帯域に応じた条件等を定めている。前記国際電気通信連合であるＩＴＵにおいて、レーダーアンテナは、通常の動作状態（機械的に回転または電子的に電波の放射方向を制御して回転させる）で測定することが定められている。
【０００３】
特開平６−２１８６４号公報に記載されている電波環境測定装置は、携帯電話等の間における電波伝播が直接波、構築物から反射される反射波、その他の外来電波等がどのように伝播されているかを測定するものである。
【特許文献１】特開平６−２１８６４号公報
【発明の開示】
【発明が解決しようとする課題】
【０００４】
レーダーシステムの主にアンテナから放射される電波を前記ＩＴＵの勧告した測定方法に従ってレーダースペクトラムを測定する場合、機械的に回転または電子的に電波の放射方向を制御して回転させるというレーダーシステムの諸元により、放射された電波を非同期に、かつ電波の到達するタイミングが不明である条件下では、現在で入手可能な計測装置は、長時間の測定時間が必要である。たとえば、９ＧＨｚ帯のパルスレーダーの不要輻射を測定する場合、パルス幅が１μｓｅｃ以下でレーダーアンテナが２０ｒｐｍで回転しているとすると、３０ＭＨｚから２６ＧＨｚまでの周波数帯域の１回の測定に必要な総測定時間は、約２２時間になっている。前記長時間の測定は、温度や湿度等の環境変化等により、測定結果の信頼性に問題があった。また、前記レーダーのスペクトラムは、周波数変換手段、Ａ／Ｄ変換手段、ＤＳＰ等からなるスペクトラムアナライザによって計測される。しかし、前記スペクトラムアナライザは、本発明のような広帯域の周波数を計測することを想定していないため、従来のスペクトラムアナライザを使用してＩＴＵの勧告した測定法を実施する場合には、複数回に分け、長時間かけて、他の送信機から外来不要波が出ているという環境の中で計測しなければならない。したがって、上記条件を満足していない環境下で動作しているレーダーの不要輻射を含めたスペクトラムを測定することは今まで不可能であった。
【０００５】
以上のような課題を解決するために、本発明は、長い測定時間を短縮するものであり、他の送信機から外来不要波が出ていないという環境の中で、簡単な構成からなる、高い信頼性を有するレーダースペクトラム計測装置を提供することを目的とする。
【課題を解決するための手段】
【０００６】
（第１発明）
第１発明のレーダースペクトラム計測装置は、他の送信機から外来不要波が出ているという環境のもとに、レーダーシステムのアンテナから放射された電波を受信して、不要輻射を含めた広範囲な周波数帯域のスペクトラムを計測するものであり、前記レーダーシステムのアンテナから放射された電波および外来不要波を受信する受信端子と、前記受信端子から受信した電波の中から外来不要波と所望の電波とを分けることができるスイッチ手段と、前記スイッチ手段を通過した電波を異なる周波数帯域に変換する複数の周波数変換手段と、前記周波数変換手段の一つから前記不要輻射レーダー電波の中で一つ周波数を検出し、前記周波数をトリガー信号にするトリガー信号作成手段と、前記複数の周波数変換手段によって変換された異なる周波数帯域のアナログ信号をデジタル信号に変換する複数のＡ／Ｄ変換手段と、前記複数のＡ／Ｄ変換手段によって変換されたそれぞれのデジタル信号を周波数毎の振幅に変換するとともに、前記トリガー信号作成手段によって作成されたトリガー信号によって同期が取られている複数のＤＳＰと、前記複数のＤＳＰによって周波数毎の振幅に変換された結果を全周波数帯域に合成する合成手段と、前記合成手段によって合成されたレーダースペクトラムを記憶するレーダースペクトラム記憶手段とから少なくとも構成されていることを特徴とする。
【０００７】
（第２発明）
第２発明のレーダースペクトラム計測装置において、第１発明のスイッチ手段は、過去に到着した外来不要波と所望電波のタイミングから、引き続き到着する外来不要波と所望電波の時期を予測し、前記予測に基づいて制御するスイッチ制御手段によって開閉されることを特徴とする。
【０００８】
（第３発明）
第３発明のレーダースペクトラム計測装置において、第１発明または第２発明のスイッチ手段は、外来不要波を遅延させ、前記遅延された外来不要波に同期した信号によって制御するスイッチ制御手段によって開閉されることを特徴とする。
【０００９】
（第４発明）
第４発明のレーダースペクトラム計測装置において、第１発明から第３発明の受信端子は、前記所望電波および外来不要波を分岐して取得する受信アンテナからなることを特徴とする。
【００１０】
（第５発明）
第５発明のレーダースペクトラム計測装置において、第１発明から第４発明の受信端子は、前記所望電波および外来不要波をそれぞれ独立して取得する受信アンテナからなることを特徴とする。
【００１１】
（第６発明）
第６発明のレーダースペクトラム計測装置において、第１発明から第５発明のスイッチ手段は、前記スイッチ制御手段によって予め決められた関数にしたがって制御される導通特性を備えていることを特徴とする。
【００１２】
（第７発明）
第７発明のレーダースペクトラム計測装置において、第１発明から第６発明の並列に接続されている前記周波数変換手段、Ａ／Ｄ変換手段、ＤＳＰは、リアルタイムスペクトラムアナライザであることを特徴とする。
【発明の効果】
【００１３】
本発明によれば、測定しようとするレーダーシステムにおけるレーダースペクトラムを従来の測定時間より大幅に短縮できるだけでなく、信頼性の高い測定結果を得ることができる。本発明は、他の送信機から外来不要波が出ているという環境の中で、周波数変換手段、Ａ／Ｄ変換手段、ＤＳＰからなるスペクトラムアナライザを複数並列に設け、受信したレーダーの中の一つの周波数によって作成されるトリガー信号によって、前記複数のスペクトラムアナライザの同期を取ることで、正確な計測が可能になった。
【００１４】
本発明によれば、計測装置を並列に設けておくことにより、最大放射電力と、それ以外の放射電力の比較が同時刻に行なうことができるため、同時刻における周波数成分を短時間で、かつ、正確に測定することができる。
【００１５】
本発明によれば、スイッチ手段を設けることにより、所望の電波と不所望である他の送信機からの外来不要波を分けることができるため、計測結果の精度を向上させることができる。
【００１６】
本発明によれば、外来不要波および所望の電波のタイミングを基にし、また、外来不要波を遅延させ、あるいは関数発生手段を設けることにより、前記スイッチ手段により前記外来不要波を除去することができるため、より正確な解析が可能になった。
【発明を実施するための最良の形態】
【００１７】
（第１発明）
第１発明のレーダースペクトラム計測装置は、他の送信機から外来不要波が出ているという環境のもとに、計測すべきレーダーシステムのアンテナから放射された電波を受信して、不要輻射を含めた広範囲な周波数帯域のスペクトラムを計測するものである。前記レーダースペクトラム計測装置の受信端子は、前記レーダーシステムから放射された不要輻射を含むレーダー電波を受信する。スイッチ手段は、前記受信端子から受信した電波の中から外来不要波と所望の電波とを分けることができる。周波数変換手段は、前記アンテナにより受信するとともに、前記スイッチ手段を通過した所定帯域の電波を異なる複数の周波数帯域にダウンコンバートする。また、前記周波数変換手段は、測定すべき広範囲な周波数をカバーするように複数が並列に備えられている。トリガー信号作成手段は、たとえば、前記周波数変換手段の一つから前記不要輻射を含むレーダー電波の中の一つの周波数を検出し、前記周波数をトリガー信号とする。Ａ／Ｄ変換手段は、それぞれの周波数帯域をカバーする複数の周波数変換手段によって前記アンテナによって受信されたアナログ信号をデジタル信号に変換する。
【００１８】
前記複数のＡ／Ｄ変換手段によって変換されたそれぞれのデジタル信号は、複数のＤＳＰ（Digital Signal Proccesor−以下単にＤＳＰと記載する）によって所定帯域内のデジタル信号を周波数毎の振幅に変換されるとともに、前記トリガー信号によって複数のＤＳＰの同期が取られる。すなわち、前記ＤＳＰは、前記変換されたデジタル信号をそれぞれの帯域における周波数毎の強さに変換するとともに、それぞれの同期が取られている。前記複数のＤＳＰによって前記周波数毎の振幅の強さは、全帯域ＤＳＰ等の合成手段によって合成される。前記全帯域ＤＳＰ等の合成手段によって合成されたレーダースペクトラムは、レーダースペクトラム記憶手段によって記憶される。前記レーダースペクトラム記憶手段によって記憶されたデータは、必要に応じて、表示手段によって前記スペクトラムとして見ることができる。
【００１９】
前記並列に接続されている前記周波数変換手段、Ａ／Ｄ変換手段、ＤＳＰは、リアルタイムスペクトラムアナライザを構成する。前記リアルタイムスペクトラムアナライザは、デジタル信号を高速フーリエ変換するが、前記フーリエ変換がフリーランの状態にあるため、パルス波のＦＦＴ（First Fourier Transformer ) 変換結果にバラツキが出てしまう。従来、市販のリアルタイムスペクトラムアナライザは、並列に多数接続した場合、レーダーパルス波のスペクトルを分析することができなかった。しかし、本発明は、前記ＦＦＴ変換を全て同期して行なうために正しい分析が可能になった。
【００２０】
また、市販のリアルタイムスペクトラムアナライザは、比較的大型であるため、多数の並列化に向いていなかった。本発明のリアルタイムスペクトラムアナライザは、ＦＦＴ変換のデータサイズを変えるためにプログラマブルＤＳＰとすることで、小型で分析ステップを可変できるようなゲートアレイとすることが可能になった。さらに、本発明は、前記ＤＳＰのトリガー信号をレーダーパルスに同期またはレーダーパルス信号から推定したタイミングで発生させるトリガー信号作成手段を設け、前記トリガー信号により、同期を取ることで、従来市販の装置では不可能であったものを、迅速、かつ、短時間で正確な計測が可能になった。
【００２１】
（第２発明）
第２発明のレーダースペクトラム計測装置は、第１発明のスイッチ手段に外来不要波を受信しないようにするスイッチ制御手段が設けられている。前記スイッチ制御手段は、過去に到着した外来不要波および所望波のタイミングを記憶できるようにしておき、前記外来不要波および所望電波のタイミングによって、引き続き到着する外来不要波および所望電波の時期を予測することができる。そして、前記スイッチ制御手段は、前記予測に基づいてスイッチ手段を制御して所望の電波のみ通すように開閉を行なう。
【００２２】
（第３発明）
第３発明のレーダースペクトラム計測装置は、第１発明のスイッチ手段に外来不要波を遅延させる遅延手段を設けている。前記スイッチ手段に設けられた遅延手段は、受信した外来不要波を遅延させ、前記遅延された外来不要波に同期した信号によって、外来不要波が前記スイッチ手段を通過しないようにスイッチ制御手段によって前記スイッチ手段を開閉している。
【００２３】
（第４発明）
第４発明のレーダースペクトラム計測装置は、第１発明から第３発明の受信端子を受信アンテナとしている。前記受信アンテナは、アンテナ以外に増幅器あるいはその他の付属機器を備えている場合が多い。第１発明から第３発明の受信端子は、前記受信アンテナによって受信した信号を受け入れる場所である。前記受信アンテナは、前記所望電波および外来不要波をそれぞれ分岐して取得することができる。
【００２４】
（第５発明）
第５発明のレーダースペクトラム計測装置は、第１発明から第３発明の受信端子を、前記所望の電波を取得する受信アンテナと、外来不要波を取得する受信アンテナがそれぞれ独立している。
【００２５】
（第６発明）
第６発明のレーダースペクトラム計測装置は、第１発明から第５発明のスイッチ手段に予め決められた関数発生手段の関数にしたがって制御される導通特性を持たせている。前記スイッチ手段は、予め記憶されている関数発生手段の関数にしたがって制御される導通特性に基づいた所望の電波を通過させ、あるいは外来不要波を阻止するように働く。
【００２６】
（第７発明）
第７発明のレーダースペクトラム計測装置は、第１発明から第６発明における並列に接続されている前記周波数変換手段、Ａ／Ｄ変換手段、ＤＳＰがリアルタイムスペクトラムアナライザである。前記リアルタイムスペクトラムアナライザは、前記周波数変換手段、Ａ／Ｄ変換手段、ＤＳＰを並列に設けても、前記トリガー信号によって同期を取ることにより、リアルタイムの計測が正確にできるようになった。
【実施例１】
【００２７】
図１は本発明の第１実施例で、レーダーシステムから放射される電波を計測するレーダースペクトラム計測装置を説明するための図である。なお、図１において、記号＊は、互いに線で接続されているものとする。第１実施例におけるレーダースペクトラム計測装置は、測定すべきレーダーシステム１１と、前記レーダーシステム１１から放射する所望電波および外来不要波を受信する測定アンテナ１２と、前記測定アンテナ１２で受信した電波を受ける受信端子１２１と、前記受信端子１２１から外来不要波または所望電波に分けるスイッチ手段１３１と、前記スイッチ手段１３１を制御するスイッチ制御手段１３１１と、複数の高周波ダウンコンバータ１４１、１４２、１４ｎと、前記高周波ダウンコンバータの周波数をデジタル信号に変換するＡ／Ｄ変換手段１５１、１５２、１５ｎと、前記Ａ／Ｄ変換手段の周波数を振幅に変換（フーリエ変換）するプログラマブルＤＳＰ１６１、１６２、１６ｎとを少なくとも備えている。
【００２８】
トリガー信号作成手段１３は、前記高周波ダウンコンバータ１４１のある周波数、たとえば、中心周波数を検出して、この周波数をトリガー信号とする。前記プログラマブルＤＳＰ１６１、１６２、１６ｎは、前記トリガー信号によって同期をとってそれぞれの変換を開始し、周波数解析を行う。
【００２９】
前記プログラマブルＤＳＰ１６１、１６２、１６ｎにおいて得られたデジタル信号の振幅は、全帯域プログラマブルＤＳＰ１７によって、全帯域にわたった振幅の強さとして合成される。前記全帯域にわたった振幅の強さは、レーダースペクトラム記憶手段１８に記憶され、前記レーダーシステムの不要輻射を含めた広範囲な周波数帯域の伝播状態を解析することができる。前記レーダースペクトラム記憶手段１８に記憶されたデータは、トリガー信号による同期がとれているため、複数のスペクトラムアナライザによって得られた信号を合成しても、正確な解析が可能である。表示手段１８１は、必要に応じて、前記レーザースペクトラムを表示することにより、解析をより容易にするものである。また、前記トリガー信号は、スイッチ制御手段１３１１を同期するように制御することができる。さらに、前記レーダーシステム１１における信号を無線または有線により、スイッチ制御手段１３１１に送り、同期をとることができる。
【００３０】
前記周波数設定手段１４１１、１４２１、１４ｎ１は、高周波ダウンコンバータ１４１、１４２、１４ｎにおける周波数帯域を任意に設定できる。前記高周波ダウンコンバータ１４１、１４２、１４ｎは、前記設定する周波数の上下端部において、同じ周波数が互いに重なるように設定することもできる。また、前記全帯域プログラマブルＤＳＰ１７は、各プログラマブルＤＳＰ１６１、１６２、１６ｎを合成する際に、前記周波数の重なり部を重ねた状態にする。前記周波数重なり部出力調整手段１７１は、前記全帯域プログラマブルＤＳＰ１７において、重なり部の出力を同じレベルに調整する。前記出力調整は、高周波ダウンコンバータ、Ａ／Ｄ変換手段、プログラマブルＤＳＰ等におけるそれぞれの誤差を無くすことができ、正確な計測結果を得ることができる。
【００３１】
前記レーダースペクトラムは、全方位において計測されるが、障害物により必ずしも計測できない場所がある場合もある。前記場所を避けた場合、前記測定位置は、レーダースペクトラムとともに、レーダースペクトラム記憶手段１８に記憶される。前記位置設定手段１８２は、たとえば、カーナビゲータに使用されるＧＰＳ（Global Positioning System ）を利用することができる。前記プログラマブルＤＳＰ、全帯域プログラマブルＤＳＰは、ＤＳＰとすることができる。また、全帯域プログラマブルＤＳＰは、前記各プログラマブルＤＳＰを合成する合成手段であってもよい。さらに、前記合成手段は、通常のパーソナルコンピュータとすることも可能である。
【実施例２】
【００３２】
図２は本発明の第２実施例で、レーダーシステムから放射される電波を受信する際に、所望電波と外来不要波を分けて受信するレーダースペクトラム計測装置を説明するための図である。図２において、スイッチ制御手段１３１１は、レーダーシステム１１から放射された電波（所望電波）を受信するアンテナ２１と、主に、外来不要波を受信するアンテナ２２と、前記所望電波を測定する所望電波測定手段２１２と、前記所望電波測定手段２１２によって測定された所望電波のパルス間隔を測定するパルス間隔測定手段２１３と、前記パルス間隔測定手段２１３によって測定されたパルス間隔によって、所望電波のタイミングを記憶する所望電波タイミング記憶手段２１４と、前記外来不要波を受信する外来不要波受信手段２２１と、前記外来不要波受信手段２２１によって受信した外来不要波のパルス間隔を測定するパルス間隔測定手段２２３と、前記外来不要波のタイミングを記憶する外来不要波タイミング記憶手段２２４と、前記各タイミングによってスイッチ手段１３１を制御する制御手段２２７とを少なくとも備えている。前記アンテナ２１および２２で受信した電波は、前記制御手段２２７の制御の基にスイッチ手段１３１を開き、または閉じるようになり、その後、図１の処理が行なわれる。
【００３３】
前記アンテナ２１、２２によって受信された電波は、それぞれの受信手段２１２、２２１によって受信された後、パルス間隔測定手段２１３、２２３によって間隔が測定される。それぞれのタイミング記憶手段２１４、２２４は、前記測定されたパルス間隔を所望電波または外来不要波のタイミングとして記憶される。前記所望電波および外来不要波タイミング記憶手段２１４、２２４によって記憶されているタイミングは、前記制御手段２２７によって、所望電波および／または外来不要波を予測できるため、その時期にスイッチ手段１３１の開閉を所望の態様で制御する。
【００３４】
遅延手段２２５は、外来不要波受信手段２２１によって受信された外来不要波を遅らせた状態で遅延状態記憶手段２２６に一旦記憶し、前記遅延状態記憶手段２２６に記憶された外来不要波のタイミングによって、次の外来不要波がスイッチ手段１３１を通過しないように制御手段２２７によって制御させる。関数発生手段１３１２は、予め決められた導通特性を有している。前記制御手段２２７は、前記関数発生手段１３１２の導通特性にしたがって所望の電波を通過させ、あるいは外来不要波を阻止するように制御する。なお、図２におけるアンテナ２１およびアンテナ２２は、別々に図示されているが、一つとして、所望電波および外来不要波を受信することができる。本発明のスイッチ制御手段１３１１は、レーダーシステム１１からの信号、トリガー信号、遅延状態記憶手段２２６からの信号、関数発生手段１３１２からの信号の全部によってスイッチ手段１３１を制御することができ、所望電波、外来不要波、これらが混合している電波に対しても対応できるようになっている。
【００３５】
図３は本発明の実施例で、レーダーシステムから放射される電波をほぼ全方位で計測する状態を説明するための図である。図３において、レーダーシステム１１は、たとえば、８箇所において、レーダースペクトラム計測装置が配置され、外来不要波を含む全帯域のレーダースペクトラムを計測することができる。前記レーダースペクトラム計測装置は、全帯域において、比較的短時間に計測ができるようになったため、全方位について計測しても、大きな時間的ずれがなく計測できる。
【００３６】
図４は本発明の実施例で、ＤＳＰを説明するためのブロック構成図である。図４において、ＤＳＰは、ＦＦＴ（First Fourier Transformer ) であり、前記トリガー信号作成手段１３によって作成されたトリガーで同期して制御する制御手段４１１と、演算用のプログラムが記憶されているＲＡＭ４１２と、前記ＲＡＭ４１２のプログラムに従って演算する演算手段４１４とから少なくとも構成されている。ＲＯＭまたはＲＡＭ４１３は、前記ＤＳＰ１５１、１５２、１５ｎに前記ＲＡＭ４１２の代わりに設けられる。前記ＤＳＰは、プログラマブルＤＳＰとすることもできる。前記プログラマブルＤＳＰは、たとえば、プログラムを書き替える図示されていないＤＳＰ制御手段がそれぞれに設けられる。
【００３７】
以上、本発明の実施例を詳述したが、本発明は、前記実施例に限定されるものではない。そして、特許請求の範囲に記載された本発明を逸脱することがなければ、種々の設計変更を行うことが可能である。図１および図３において示されているブロックは、周知または公知の技術によって構成されるものである。
【図面の簡単な説明】
【００３８】
【図１】本発明の第１実施例で、レーダーシステムから放射される電波を計測するレーダースペクトラム計測装置を説明するための図である。（実施例１）
【図２】本発明の第２実施例で、レーダーシステムから放射される電波を受信する際に、所望電波と外来不要波を分けて受信するレーダースペクトラム計測装置を説明するための図である。（実施例２）
【図３】本発明の実施例で、レーダーシステムから放射される電波をほぼ全方位で計測する状態を説明するための図である。
【図４】本発明の実施例で、ＤＳＰを説明するためのブロック構成図である。
【符号の説明】
【００３９】
１１・・・レーダーシステム
１２・・・測定アンテナ
１３・・・トリガー信号作成手段
１３１・・・スイッチ手段
１３１１・・・スイッチ制御手段
１４１、１４２、１４ｎ・・・高周波ダウンコンバータ
１４１１、１４２１、１４ｎ１・・・周波数設定手段
１５１、１５２、１５ｎ・・・Ａ／Ｄ変換手段
１６１、１６２、１６ｎ・・・プログラマブルＤＳＰ
１７・・・全帯域プログラマブルＤＳＰ
１７１・・・周波数重なり部出力調整手段
１８・・・レーダースペクトラム記憶手段
１８１・・・表示手段
１８１・・・位置設定手段
２１、２２・・・アンテナ
２１１・・・レーダーシステム電波受信手段
２１２・・・所望電波測定手段
２１３・・・パルス間隔測定手段
２１４・・・所望電波タイミング記憶手段
２２１・・・外来不要波受信手段
２２３・・・パルス間隔測定手段
２２４・・・外来不要波タイミング記憶手段
２２５・・・遅延手段
２２６・・・遅延状態記憶手段
２２７・・・制御手段
１３１２・・・関数発生手段
４１１・・・制御手段
４１２・・・ＲＡＭ
４１３・・・ＲＯＭまたはＲＡＭ
４１４・・・演算手段
【図１】
2007309863.tif 000003
【図２】
2007309863.tif 000004
【図３】
2007309863.tif 000005
【図４】
2007309863.tif 000006